(57)【要約】
【課題】  照明、警告及びインテリア効果を備える発光傘を提供する。
【解決手段】  電源１、スイッチ２、電線３、発光体、接手５及び透光桿６から構成され、傘体７に設置する。傘体７はハンドル７１、中棒７２、受骨７３、親骨７４及び生布７５から構成される。ハンドル７１は中棒７２一端に連接し、中棒７２別端は親骨７４に枢設される。中棒７２上には別に受骨７３の一端が嵌合され、受骨７３のもう一端は親骨７４が枢設される。親骨７４上には生布７５が固定され、受骨７３を引き動かして中棒７２上で滑動する受骨７３によって親骨７４を開いたり、閉じたりする。ハンドル７１内には電源１及びスイッチ２が設置され、電源１はスイッチ２を経て電線３に連接する。電線３は中棒７２及び親骨７４内に挿し入れられ、発光体に連接する。
【選択図】    図２
0003100797.tif 000002
【実用新案登録請求の範囲】
【請求項１】
電源、スイッチ、電線、発光体、接手及び透光桿から構成され、傘体に設置し、その傘体はハンドル、中棒、受骨、親骨及び生布から構成され、そのうち、ハンドルは中棒の一端に連接し、中棒の別端は親骨に枢設され、中棒上には別に受骨の一端が嵌合され、受骨のもう一端は親骨が枢設され、親骨上には生布が固定され、受骨を引き動かして中棒上で滑動する受骨によって親骨を開く又は閉じ、且つハンドル内には電源及びスイッチが設置され、電源はスイッチを経て電線に連接し、電線は中棒及び親骨内に挿し入れられ、発光体に連接する発光傘において、
発光体は親骨の別端内に設置され、接手は両端のある中空管体で、且つ接手の一端には親骨の別端及び発光体が嵌合され、接手のもう一端は透光桿の一端に嵌合し、透光桿は生布に固定されることを特徴とする発光傘。
【請求項２】
前記親骨は、断面がＵ字型で、且つ親骨のＵ字型開口を生布に合わせ、親骨内に納置した電線を生布で遮蔽することを特徴とする請求項１記載の発光傘。
【請求項３】
前記透光桿は、その別端が生布の外側に露出することを特徴とする請求項１記載の発光傘。
【考案の詳細な説明】
【技術分野】
【０００１】
本考案は、発光傘に関するもので、主に、親骨に発光体、接手及び透光桿を設置し、透光桿が傘体の親骨外段を構成し、親骨外段が発光するものである。
【背景技術】
【０００２】
公知の傘は、ハンドル、中棒、受骨、親骨及び生布から構成され、そのうち、ハンドルは中棒の一端に連接し、中棒別端は親骨の一端に枢設され、親骨上で受骨の一端が滑動する。また、受骨の別端は親骨に枢設され、親骨上には生布が固定される。受骨を中骨上で引き動かすことによって、受骨が親骨を開閉する。また、発光傘はハンドル内に電源及びスイッチが設置され、電源はスイッチを経て電線に連接される。その形態は主に以下の三種類である。
【０００３】
１．傘体のハンドルに発光体を設置し、懐中電灯となる。
２．電線を傘体の中棒に挿し込み、中棒最上端（同時に生布外に位置する）に単一の発光体を設置する。
３．電線を中棒及び親骨に挿し込み、傘体の親骨外端に発光体を連接する。
【０００４】
そのうち、１．ハンドルに発光体を設置した場合、懐中電灯の役割をするだけで、夜間雨天時、この傘を差しても懐中電灯ではハンドルの真下が照射されるだけで、使用者の真正面を照らすことができず、意味がない。また、懐中電灯の照明は単方向の単一光線（通常円錐形である）で、且つ照射距離は短く（３ｍ以内）、遠距離にまで注意を促すことができず、警告効果は低い。
【０００５】
２．中棒最上端に単一の発光体を設置するのは、警告するためであるが、照明或いはインテリアには用いることができない。また、ポイント発光では傘を持っている人の範囲を示すことができないため、ドライバーの注意が足りないと、車が近づいて初めて傘を持つ人に気づくことになり、安全性が低い。
【０００６】
３．親骨外端に発光体を設置するのは、警告もしくはインテリアに使用するためであるが、照明としては使用できない。何しろ親骨外端のポイント発光であるため、光線が微弱で、近距離に対してのみ警告効果があるだけで、また、インテリア効果も良くない。
【考案の開示】
【考案が解決しようとする課題】
【０００７】
解決しようとする問題点は、照明、警告もしくはインテリア効果のうちの一つだけでも効果が悪く、更に上述の三点を兼ね備えたものはないという点である。
【課題を解決するための手段】
【０００８】
本考案は、発光体が親骨の別端に設置され、且つ親骨のＵ型開口側を生布に合わせる。また、親骨内に納置した電線は生布によって遮蔽される。接手は両端を具えた中空桿体で、接手の一端は親骨の別端及び発光体に嵌合し、接手のもう一端は透光桿の一端に嵌合する。透光桿は生布に固定され、且つ別端は生布外側に露出することを最も主要な特徴とする。
本考案の発光傘は、安全のための警告、照明及びインテリア効果を具えるという利点がある。
【考案を実施するための最良の形態】
【０００９】
上述した本考案の目的、特徴及び長所をいっそう明瞭にするため、以下に本考案の好ましい実施の形態を挙げ、図を参照にしながら、更に詳しく説明する。
図１及び図２に示すとおり、本考案の一実施例による発光傘は、電源１、スイッチ２、電線３、発光体４、接手５及び透光桿６から構成され、傘体７に設置して実施する。傘体７は、ハンドル７１、中棒７２、受骨７３、親骨７４及び生布７５から構成され、そのうち、ハンドル７１は中棒７２の一端に連接され、中棒７２のもう一端には親骨７４の一端が枢設される。中棒７２上には別に受骨７３の一端が設置され、受骨７３の別端は親骨７４に枢設される。また、親骨７４上には生布７５が設置され、受骨７３を引き動かすことによって、中棒７２上で滑動し、受骨７３によって親骨７４が開いたり、閉じたりする。更に、ハンドル７１内に電源１及びスイッチ２が設置され、電源１は電線３に連接され（スイッチ２には当然回路板が設置され、且つ回路板が発光体４に連続して光らせたり、規則的に点滅させたり、不規則的に点滅させたりする等の機能が具わる。ただしここでは本考案の重点ではないので説明を省略する）、電線３は中骨７２及び親骨７４内に挿し入れられ、発光体４と連接する。
【００１０】
発光体４は親骨７４別端内に設置される。図４に示すとおり、親骨７４の断面はＵ型で、Ｕ型開口の側を生布７４に合わせる。また、親骨７４内に納置した電線３を生布７５で遮蔽する。図２及び図３に示すとおり、接手５は両端のある中空管体で、且つ接手５の一端に親骨７４の別端及び発光体３が嵌合される。接手５の別端には透光桿６の一端が嵌合され、透光桿６は生布７５に固定され、且つ透光桿６の別端は生布７５外に露出する。
【００１１】
これによって、図３に示すとおり、発光体３が発光すると、透光桿６全体が発光し、傘体７全体の範囲をはっきりと表示して、人に注意を促す。更に、遠距離からでも傘を差す人がいることを認識させることができ、安全効果が高まる。透光桿６全体が発光するため、傘体７の錐形下内はすべて光り、照明効果が高まる。この他、親骨７４のＵ型断面開口側に生布７５を合わせ、電線３を隠すため、電線３を保護する他に、傘体７全体の美観を高める。
透光桿６全体が発光し、視覚効果が高まり、装飾の用途にも適用できる。
【図面の簡単な説明】
【００１２】
【図１】本考案の一実施例による発光傘を示す分解斜視図である。
【図２】本考案の一実施例による発光傘を示す模式図である。
【図３】本考案の一実施例による発光傘を示す立体図である。
【図４】本考案の一実施例による発光傘を示す断面図である。
【符号の説明】
【００１３】
１  電源、２  スイッチ、３  電線、４  発光体、５  接手、６  透光桿、７  傘、７１  ハンドル、７２  中棒、７３  受骨、７４  親骨、７５  生布
【図１】
0003100797.tif 000003
【図２】
0003100797.tif 000004
【図３】
0003100797.tif 000005
【図４】
0003100797.tif 000006